(57)【要約】【課題】サーバラック用のブランクパネル設置に要する煩雑な処理を削除できるとともに空気調和の効率化を維持できる。【解決手段】サーバラック１は、サーバ機器と接続可能なコネクタ機器であるラックマウント機器３を当該サーバラック１に設置する際に該ラックマウント機器３をねじ止めするための複数の穴７が設けられた複数のマウントフレーム２Ａ，２Ｃと、サーバラック１のサーバ機器の収納ユニット６の一側面に設けられた開口部６Ａの全部または一部を覆う長さを有し、延伸して開口部６Ａを覆う第１の状態と、巻き取られて開口部６Ａを開放する状態である第２の状態との間を遷移するパネル部１１と、いずれかのマウントフレーム２Ａ，２Ｃに接続されるとともにパネル部１１を巻き取って内部に収納する収納部１２と、を有するブランクパネル１０と、を有する。【選択図】図１
2018186181.tif 000002
【特許請求の範囲】
【請求項１】
サーバルームに設置されるサーバラックであって、
サーバ機器と接続可能なコネクタ機器であるラックマウント機器を当該サーバラックに設置する際に該ラックマウント機器をねじ止めするための複数の穴が設けられた複数のマウントフレームと、
当該サーバラックの前記サーバ機器の収納部の一側面に設けられた開口部の全部または一部を覆う長さを有し、延伸して前記開口部を覆う第１の状態と、巻き取られて前記開口部を開放する状態である第２の状態との間を遷移するパネル部と、いずれかの前記マウントフレームに接続されるとともに前記パネル部を巻き取って内部に収納する収納部と、を有するブランクパネルと、
を有することを特徴とするサーバラック。
【請求項２】
サーバ機器と接続可能なコネクタ機器であるラックマウント機器をねじ止めするための複数の穴が設けられた複数のマウントフレームを有するサーバラックに接続するブランクパネルであって、
前記サーバラックの前記サーバ機器の収納部の一側面に設けられた開口部の全部または一部を覆う長さを有し、延伸して前記開口部を覆う第１の状態と、巻き取られて前記開口部を開放する状態である第２の状態との間を遷移するパネル部と、
いずれかの前記マウントフレームに接続されるとともに前記パネル部を巻き取って内部に収納する収納部と、
を有することを特徴とするブランクパネル。
【請求項３】
前記パネル部は、前記第１の状態から、前記収納部側の一端に作用する前記収納部方向の外力によって、前記収納部の内部に巻き取られて前記第２の状態に遷移することを特徴とする請求項２に記載のブランクパネル。
【請求項４】
前記収納部は、内部にバネを有し、
前記バネは、該バネの前記一端と前記パネル部の前記一端とが接続し、該バネの延伸状態から収縮状態への変形に応じて生じた力で、前記パネル部を前記収納部の内部に巻き取ることを特徴とする請求項３に記載のブランクパネル。
【請求項５】
前記パネル部は、他端に、前記マウントフレームの穴に引っかかる引っ掛け部を有することを特徴とする請求項３または４に記載のブランクパネル。
【請求項６】
前記パネル部は、原形が前記第１の状態であり、巻き取られて変形した前記第２の状態のパネル部が原形に戻ることで前記１の状態に遷移することを特徴とする請求項２に記載のブランクパネル。
【請求項７】
前記パネル部は、前記第１の状態から、前記収納部に向かう外力の付加によって前記収納部の内部に巻き取られた前記第２の状態に変形し、前記第２の状態のパネル部が原形に戻る力によって該パネル部の先端が前記収納部の外部に押し出されて前記第１の状態に遷移することを特徴とする請求項６に記載のブランクパネル。
【請求項８】
前記パネル部は、先端に補強材を有することを特徴とする請求項６または７に記載のブランクパネル。
【発明の詳細な説明】
【技術分野】
【０００１】
本発明は、サーバラック及びブランクパネルに関する。
【背景技術】
【０００２】
従来、サーバラックのサーバ機器収納部にサーバ機器が収納されていない場合、ブランクパネルを新たに設置し、収納部の開口部を閉塞して、空気調和の効率化を図っている（例えば、非特許文献１，２参照）。
【０００３】
ブランクパネルは、サーバラックのサーバ機器が搭載されていない収納部に対して新たに設置するものである。このため、利用者或いは管理者は、ブランクパネルのストックがある場合、サーバラック外の集積場所からブランクパネルを運搬し、サーバラックに取り付けていた。
【先行技術文献】
【非特許文献】
【０００４】
【非特許文献１】ワンタッチブランクパネル  NPBPシリーズ、［online］、［平成２９年４月１４日検索］、インターネット＜ＵＲＬ：https://www.settsu.co.jp/catalogs/prosrc/5511＞
【非特許文献２】［RD211］  ワンタッチフィラーパネル、［online］、［平成２９年４月１４日検索］、インターネット＜ＵＲＬ：https://ntec.nito.co.jp/prd/C686-C833-C815-S8757.html＞
【発明の概要】
【発明が解決しようとする課題】
【０００５】
しかしながら、従来では、サーバラック用のブランクパネル設置に煩雑な処理を要するとともに、空気調和の効率化を維持できない場合があるという問題があった。
【０００６】
例えば、サーバラックの利用者或いは管理者が、ブランクパネルがないことに気付いた際に、ブランクパネルの所在を調べ、ブランクパネルを調達して設置するしかなかった。或いは、運用規定で、サーバラックの空いた場所には必ずブランクパネルを設置するといった決まり事でブランクパネルの設置を義務付けるしかなかった。また、ブランクパネルのストックがない場合、管理者は、改めて発注作業をする必要があった。このように、ブランクパネルの設置のために、利用者或いは管理者は、煩雑な作業を行う必要があった。
【０００７】
そして、サーバ機器をサーバラックから外した際などに、横着や失念などでブランクパネルの設置を怠り、冷気の漏出をまねく場合がある。このブランクパネルの欠落による冷気の漏出は、冷却効率の低下による電力コスト増加だけでなく、機器の冷却にムラが生じることによる機器故障に伴う修理コストの増大など、データセンタ全体の運営コストに悪影響を与える場合がある。
【０００８】
本発明は、上記に鑑みてなされたものであって、サーバラック用のブランクパネル設置に要する煩雑な処理を削除できるとともに空気調和の効率化を維持できるサーバラック及びブランクパネルを提供することを目的とする。
【課題を解決するための手段】
【０００９】
上述した課題を解決し、目的を達成するために、本発明に係るサーバラックは、サーバルームに設置されるサーバラックであって、サーバ機器と接続可能なコネクタ機器であるラックマウント機器を当該サーバラックに設置する際に該ラックマウント機器をねじ止めするための複数の穴が設けられた複数のマウントフレームと、当該サーバラックのサーバ機器の収納部の一側面に設けられた開口部の全部または一部を覆う長さを有し、延伸して開口部を覆う第１の状態と、巻き取られて開口部を開放する状態である第２の状態との間を遷移するパネル部と、いずれかのマウントフレームに接続されるとともにパネル部を巻き取って内部に収納する収納部と、を有するブランクパネルと、を有することを特徴とする。
【発明の効果】
【００１０】
本発明によれば、サーバラック用のブランクパネル設置に要する煩雑な処理を削除できるとともに空気調和の効率化を維持できる。
【図面の簡単な説明】
【００１１】
【図１】図１は、実施の形態１に係るサーバラックの構造例を示す図である。
【図２】図２は、図１に示すブランクパネルの斜視図である。
【図３】図３は、図１に示すブランクパネルの斜視図である。
【図４】図４は、図２に示すブランクパネルを、パネル部との直交面で切断した図である。
【図５】図５は、図３に示すブランクパネルを、パネル部との直交面で切断した図である。
【図６】図６は、実施の形態１に係るブランクパネルの設置例を示す斜視図である。
【図７】図７は、実施の形態１の変形例に係るブランクパネルの斜視図である。
【図８】図８は、実施の形態２に係るブランクパネルの斜視図である。
【図９】図９は、実施の形態２に係るブランクパネルの斜視図である。
【図１０】図１０は、図８に示すブランクパネルを、パネル部との直交面で切断した図である。
【図１１】図１１は、図９に示すブランクパネルを、パネル部との直交面で切断した図である。
【図１２】図１２は、実施の形態２に係るブランクパネルの設置例を示す斜視図である。
【図１３】図１３は、実施の形態２に係るブランクパネルの他の設置例を示す斜視図である。
【図１４】図１４は、実施の形態２に係るブランクパネルの他の設置例を示す斜視図である。
【図１５】図１５は、図１４に示すブランクパネルの平面図である。
【図１６】図１６は、図１４に示すブランクパネルの正面図である。
【図１７】図１７は、図１４に示すブランクパネルの左側面図である。
【発明を実施するための形態】
【００１２】
以下、図面を参照して、本発明の一実施形態を詳細に説明する。なお、この実施の形態により本発明が限定されるものではない。また、図面の記載において、同一部分には同一の符号を付して示している。
【００１３】
［実施の形態１］
［サーバラックの構造］
図１は、本実施の形態１に係るサーバラックの構造例を示す図である。図１に示すように、本実施の形態１に係るサーバラック１は、上板１Ａにラックフレーム１Ｂが組み付けられた構成を有する。
【００１４】
サーバラック１には、複数のサーバラック用コンセント（不図示）、ケーブルフックバー（不図示）、マウントフレーム２Ａ，２Ｃ、ラックマウント機器３、棚４Ａ，４Ｂ、中間ポスト５等が組み付けられている。マウントフレーム２Ａ，２Ｃは、鉛直方向のラックフレーム１Ｂと並行となるようにサーバラック１に組み付けられている。マウントフレーム２Ａ，２Ｃ及び棚４Ａ，４Ｂで仕切られた領域は、サーバ機器が収納可能である収納ユニット（収納部）６である。サーバラック１には、この収納ユニット６の開口部６Ａの全部または一部を塞ぐことができるブランクパネル１０が常設されている。収納ユニット６の開口部６Ａは、収納部の一側面に設けられる。
【００１５】
なお、図１では、説明の簡易化のため、単数のブランクパネル１０を示すが、実際には、ブランクパネル１０は、各収納ユニット６の開口部６Ａの全部または一部を覆うことができるように複数設けられる。また、図１では、説明のため、単数の収納ユニット６を示すが、実際には、複数設けられる。また、図１では、マウントフレーム２Ａ，２Ｃを図示するが、実際には、鉛直方向のラックフレーム１Ｂのそれぞれに対応して複数設けられる。
【００１６】
マウントフレーム２Ａ，２Ｃには、複数の穴７が一列に設けられる。穴７は、サーバ機器と接続可能なコネクタ機器であるラックマウント機器３を、サーバラック１に設置する際にラックマウント機器３の端部をねじ止めするための穴である。
【００１７】
ブランクパネル１０は、サーバラック１の収納ユニット６の開口部６Ａの全部を覆う長さを有するパネル部１１と、いずれかのマウントフレーム２Ａ，２Ｃに接続されるとともにパネル部１１を巻き取って内部に収納する収納部１２と、を有する。
【００１８】
ブランクパネル１０は、収納ユニット６内にサーバ機器が搭載されていない場合にはパネル部１１を延伸して開口部６Ａの全部を覆う。図１は、収納ユニット６の一つの開口部６Ａの全部をパネル部１１が覆う例を示す。また、ブランクパネル１０は、収納ユニット６の内部にサーバ機器が搭載されている場合には、パネル部１１を収納部１２の内部に収納して、収納ユニット６の開口部６Ａを開放する。
【００１９】
このブランクパネル１０は、収納部１２の一部が、マウントフレーム２Ａ，２Ｃに螺子止め固定されている。したがって、ブランクパネル１０は、サーバ機器の収納ユニット６への搭載時、非搭載時を問わず、サーバラック１に常時設置されている。
【００２０】
［ブランクパネルの構成］
ブランクパネル１０は、パネル部１１が延伸して開口部６Ａを覆う第１の状態と、延伸していたパネル部１１が巻き取られて開口部６Ａを開放する状態である第２の状態との間を遷移する。そこで、図２〜図５を参照し、ブランクパネル１０の構成、及び、ブランクパネル１０の各状態について説明する。
【００２１】
図２及び図３は、図１に示すブランクパネル１０の斜視図である。図２は、第２の状態を示し、図３は、第１の状態を示す。また、図４は、図２に示すブランクパネル１０を、パネル部１１との直交面で切断した図である。図５は、図３に示すブランクパネル１０を、パネル部１１との直交面で切断した図である。図２〜図５に示すように、ブランクパネル１０は、パネル部１１と、収納部１２とを有する。
【００２２】
パネル部１１は、サーバラック１の収納ユニット６の開口部６Ａ（図２参照）の全部を十分に覆う長さを有する。パネル部１１は、延伸して開口部６Ａを覆う第１の状態（図３，５参照）と、巻き取られて開口部を開放する状態である第２の状態（図２，４参照）との間を遷移する。パネル部１１は、外力の付加に応じて延伸及び巻き取りが可能である。
【００２３】
パネル部１１は、先端部１１ｂに、マウントフレーム２Ｂの穴７Ｂに引っかかる引っ掛け部１１ｃを有する。引っ掛け部１１ｃは、スナップ或いはフックである。パネル部１１の収納部１２への収納時には、引っ掛け部１１ｃが送り出し口１５（後述）に引っかかり、パネル部１１の先端部１１ｂが露出するため、管理者等は、露出したパネル部１１の先端部１１ｂを持って、パネル部１１を収納部１２から引き出すことが可能である。
【００２４】
収納部１２は、マウントフレーム２Ａに接続するとともに、パネル部１１を巻き取って内部に収納する。図２〜図５に示すように、収納部１２は、例えば、有底の円筒形状を有するともに、円筒部分の側面の一部が突出し、この突出部１４に送り出し口１５が設けられた形状を有する。この送り出し口１５を介して、パネル部１１は、収納部１２の内部に巻き取られて収納される。或いは、送り出し口１５を介して、パネル部１１は、収納部１２の外部へ延伸して、開口部全てを塞ぐ。
【００２５】
突出部１４の一部は、送り出し口１５から延伸しており、この延伸した部分が、マウントフレーム２Ａへの接続部１６として機能する。接続部１６は、マウントフレーム２ＡのうちエリアＲ２にネジ１７でネジ止めされる。なお、エリアＲ２は、穴７Ａが形成されるラックマウント用機器の設置用エリアＲ１を避けた領域であって、該設置用エリアＲ１の脇のエリアである。
【００２６】
そして、図４及び図５に示すように、収納部１２は、内部にバネ１３を有する。バネ１３の一端は、パネル部１１の収納部側の後端部１１ａが接続する。バネ１３は、パネル部１１が収納部１２の内部に収納された第２の状態である場合に原形を維持し、パネル部１１が延伸した第１の状態の場合に延伸状態に変形する。そして、バネ１３は、バネ１３の延伸状態から原形である収縮状態への変形に応じて生じた力で、パネル部１１を収納部１２の内部に巻き取る。
【００２７】
したがって、パネル部１１は、延伸して開口部６Ａを覆う第１の状態から、バネ１３の延伸状態から原形である収縮状態への変形に応じて生じた力によって、収納部１２の内部に巻き取られて第２の状態に遷移する。言い換えると、パネル部１１は、第１の状態から、収納部１２側の一端に作用する収納部方向の外力によって、収納部１２の内部に巻き取られて第２の状態に遷移する。
【００２８】
続いて、ブランクパネル１０の使用方法について説明する。通常は、ブランクパネル１０は、バネ１３の力により、パネル部１１が収納部１２の内部に収容されている。
【００２９】
管理者は、サーバラック１の対象ユニットにラックマウント機器３が設置されていない場合、或いは、設置されていたラックマウント機器３を取り外した場合、ブランクパネル１０の収納部１２から、パネル部１１の先端部１１ｂを引き出す。
【００３０】
そして、管理者は、パネル部１１を、反対側のマウントフレーム２Ｂまで引き出し、パネル部１１の引っ掛け部１１ｃを、マウントフレーム２Ｂの穴７Ｂに引っ掛けて留める。この作業によって、パネル部１１によってサーバラック１の収納ユニット６の開口部６Ａが塞がれるため、冷気の漏出が低減される。なお、このパネル部１１を引き出す際に加えられた力は、バネ１３の変形エネルギーとして蓄積される。
【００３１】
その後、管理者は、サーバ機器を収納する場合、ブランクパネル１０のパネル部１１の引っ掛け部１１ｃを、マウントフレーム２Ｂの穴７Ｂから取り外す。パネル部１１の引き出し方向の外力が除去されるため、バネ１３が延伸状態から原形である収縮状態に変形する。そして、このバネ１３における変形に応じて生じた力が動力として機能し、パネル部１１は、収納部１２の内部に自動的に巻き取られ、開口部６Ａは自動的に開放される。このように、パネル部１１の巻き取りは自動で行われるため、管理者は、サーバ機器の収納時には、引っ掛け部１１ｃを穴７Ｂから取り外す作業を行うだけでよい。
【００３２】
［実施の形態１の効果］
このように、本実施の形態１に係るサーバラック１は、サーバラック１のいずれかのマウントフレーム２Ａ〜２Ｃに固定して接続するブランクパネル１０を有する。したがって、本実施の形態１では、サーバラック１自体に、ブランクパネル１０を常設している。このため、本実施の形態１によれば、管理者は、従来必要であった集積場所からのブランクパネル１０の運搬や、サーバラック１へのブランクパネル１０の取り付けといった煩雑な作業を行う必要がない。そして、管理者は、サーバ機器をサーバラック１から外した際などに、失念などでブランクパネル１０の設置を怠ることもない。したがって、実施の形態１によれば、冷気の漏出も少なくでき、空気調和の効率化を維持できる。
【００３３】
そして、本実施の形態１に係るブランクパネル１０は、収納ユニット６ごとに開口部６Ａをパネル部１１で閉鎖するため、収納ユニット６の上下にまたがったサーバ機器のサーバラック１への収納を阻害することはない。したがって、本実施の形態１によれば、サーバ機器のサーバラック１への収納の柔軟性を維持することができる。
【００３４】
そして、ブランクパネル１０は、管理者が、サーバ機器の収納時には、引っ掛け部１１ｃを穴７Ｂから取り外す作業を行うだけでパネル部１１が自動的に巻き取られるため、管理者によるサーバ機器の収納作業の円滑化を図ることができる。
【００３５】
［ブランクパネルの設置例］
続いて、ブランクパネル１０の設置例について説明する。図６は、実施の形態１に係るブランクパネル１０の設置例を示す斜視図である。
【００３６】
ブランクパネル１０−１，１０−２を上下に２つ設置する場合には、図６に示すように、それぞれの収納部１２−１，１２−２を、左右のマウントフレーム２Ａ，２Ｂに分けて接続する。そして、それぞれのパネル部１１−１，１１−２を上下に並列した状態となるように延伸する。このように、ブランクパネル１０−１，１０−２を設置することによって、パネル部１１−１，１１−２間の隙間を減らし、隙間からの冷気の漏出を防ぐことができる。
【００３７】
もちろん、ブランクパネル１０−１，１０−２のそれぞれの収納部１２−１，１２−２を１本のマウントフレーム２Ａに、上下に接続することも可能である。この場合には、収納部１２−１，１２−２間の干渉により上下に並ぶパネル部１１−１，１１−２間に多少の隙間ができるが、この状態でも開口部６Ａはほとんど閉鎖できているため、この隙間を看過してもよい。また、実施の形態１では、複数のブランクパネル１０−１，１０−２で、一つの開口部を塞いでもよい。
【００３８】
［実施の形態１の変形例］
続いて、実施の形態１の変形例について説明する。図７は、実施の形態１の変形例に係るブランクパネルの斜視図である。
【００３９】
図７に示すように、実施の形態１の変形例に係るブランクパネル１０Ａは、ブランクパネル１０と比して、収納部１２を削除した構成を有する。ブランクパネル１０Ａは、コイルバネ１３Ａの後端１５Ａが、サーバラックの中間ポスト５に結合し、コイルバネ１３Ａの先端１５Ｂがパネル部１１の後端部１１ａに結合する構成を有する。コイルバネ１３Ａは、十分な有効長を有する。
【００４０】
そして、マウントフレーム２Ａの角には、パネル部１１を挿通可能であるガイド８が設置されている。パネル部１１は、このガイド８を挿通することによって、上下にずれることなく閉塞方向に導かれて収納ユニット６の開口部６Ａを正確に塞ぐように引き出されることとなる。パネル部１１の先端部１１ｂを引き出すと、これに応じてコイルバネ１３Ａが延伸する。このコイルバネ１３Ａの延伸による弾性エネルギーが、パネル部１１の収納に使われる。実施の形態１では、このブランクパネル１０Ａのように、収納部１２の省略が可能である。
【００４１】
［実施の形態２］
次に、実施の形態２について説明する。本実施の形態２に係るブランクパネルは、ラックマウント機器の取り外しにより、自動的にパネル部が延伸し、収納ユニット６の開口部６Ａの一部または全部を閉塞する。
【００４２】
図８及び図９は、本実施の形態２に係るブランクパネル２０の斜視図である。図８は、第２の状態を示し、図９は、第１の状態を示す。また、図１０は、図８に示すブランクパネル２０を、パネル部２１との直交面で切断した図である。図１１は、図９に示すブランクパネル２０を、パネル部２１との直交面で切断した図である。図８〜図１１に示すように、ブランクパネル２０は、パネル部２１と、収納部１２とを有する。収納部１２は、実施の形態１と同様に、接続部１６が、マウントフレーム２Ａにネジ１７でネジ止めされている。
【００４３】
パネル部２１は、サーバラック１の収納ユニット６の開口部６Ａ（図２参照）の全部を十分に覆う長さを有する。パネル部２１は、延伸した状態（図９，１１参照）、すなわち、第１の状態が原形である。パネル部２１は、鋼や樹脂等の弾性材料で形成されている。パネル部２１は、延伸した部分が空中に浮いた状態となる。このため、パネル部２１は、重力によって折れたり垂れ下がったりしないように、鋼性の巻尺と同様な緩いＲを付けた状態で熱処理や塑性変形などが実行されることによって、十分な強度を確保する。
【００４４】
そして、パネル部２１は、収納部１２の内部に押し入れられることによって、図８，１０に示す第２の状態となる。この過程でのパネル部２１の変形エネルギーが、パネル部２１の延長の動力となる。したがって、パネル部２１は、巻き取られて変形した第２の状態（図８，１０参照）のパネル部２１が、変形エネルギーによって原形に戻ることで第１の状態（図９，１１参照）に遷移する。言い換えると、パネル部２１は、第１の状態から、収納部１２に向かう外力の付加によって収納部１２の内部に巻き取られた第２の状態に変形する。そして、パネル部２１は、第２の状態の該パネル部２１が原形に戻る力によってパネル部２１の先端が収納部１２の外部に押し出されて第１の状態に遷移する。
【００４５】
パネル部２１は、図１０，１１に示すように、収納部１２の内部に最後に残る後端部２１ａを丸めている。これによって、パネル部２１の後端部２１ａが収納部１２の送り出し口１５で止まるようにして、パネル部２１が収納部１２から抜け落ちることを防止する。後端部２１ａは、折り曲げてもよい。或いは、後端部２１ａに、柱状の部材を取り付けてもよい。
【００４６】
また、パネル部２１は、先端部２１ｂに補強材２３を有する。補強材２３は、パネル部２１の重力による変形を防ぐために先端部２１ｂに取り付けられる。補強材２３は、収納部１２の背面方向に突出する向きでパネル部２１の先端部２１ｂに取り付けられる。そして、補強材２３については、パネル部２１の延伸時に他のパネル部２１の補強材２３と干渉しないように、補強材２３の上下の幅を、パネル部２１の幅よりも短くしてもよい。
【００４７】
続いて、ブランクパネル２０の使用方法について説明する。まず、図８を参照して、サーバラック１のマウントフレーム２Ａ，２Ｂの穴７Ａ，７Ｂに、ラックマウント機器３がネジ３Ａで固定されている場合について説明する。この場合には、ブランクパネル２０のパネル部２１の先端部２１ｂは、ラックマウント機器３の左端部によってせき止められ、第２の状態を保持する。
【００４８】
そして、管理者がラックマウント機器３を取り外すと、パネル部２１を遮断するものがなくなる。このため、図９のように、せき止められていたパネル部２１が、原形に戻り延伸する。すなわち、図９に示すように、パネル部２１は、収納部１２の内部からせり出して、マウントフレーム２Ｂまで延伸し、開口部６Ａを自動的に塞ぐ。
【００４９】
［実施の形態２の効果］
このように、本実施の形態２に係るサーバラックにおいても、本実施の形態１と同様に、サーバラック自体にブランクパネル２０を常設しているため、実施の形態１と同様の効果を奏する。
【００５０】
さらに、実施の形態２に係るブランクパネル２０は、ラックマウント機器３が取り外されると自動的に開口部６Ａを閉鎖するため、冷気の漏出を低減することができる。このため、実施の形態２によれば、機器の設置状況に関わらず理想的な空調状態を確保することができる。すなわち、実施の形態２によれば、冷気漏れによって増加する空調コスト、理想的な冷気流からの乖離による機器故障に伴う修理コスト、及び、機器の設置状況を監視する人的コストをデータセンタの運用期間全体にわたって削減することができ、ブランクパネル２０そのものの設置コストを回収できるだけの運用期間を持つデータセンタにおいては有効なコスト削減手段となりうる。
【００５１】
［ブランクパネルの設置例１］
続いて、ブランクパネル２０の設置例について説明する。図１２は、実施の形態２に係るブランクパネル２０の設置例を示す斜視図である。図１２のように、マウントフレーム２Ａにブランクパネル２０−１を設置するとともに、反対側のマウントフレーム２Ｂにもブランクパネル２０−２を同じ高さで設置する。この場合、ブランクパネル２０−２は、鉛直面に沿って１８０°回転した状態でマウントフレーム２Ｂに設置される。このように２つのブランクパネル２０−１，２０−２を設置することによって、双方のパネル部２１−１，２１−２の延伸量を、開口部６Ａの全部を覆う場合の延伸量の半分にする。
【００５２】
この結果、重力によるモーメントに伴うパネル部２１−１，２１−２の折れを、より少ないパネル強度で確保することができる。そして、収納ユニットの右半分或いは左半分だけにサーバ機器を設置した場合でも、ブランクパネル２０−１のパネル部２１−１によって、残りの半分の開口部６Ａ、すなわち開口部６Ａの一部を閉鎖することが可能になる。
【００５３】
［ブランクパネルの設置例２］
２つのブランクパネルのそれぞれの収納部を１本のマウントフレームに上下に近接して接続することも可能である。図１３は、実施の形態２に係るブランクパネル２０の他の設置例を示す斜視図である。
【００５４】
図１３に示すように、ブランクパネル２０−１の下に、ブランクパネル２０−２’を近接して接続する。このブランクパネル２０−２’では、補強材２３−２’は、収納部１２−２側に突出する向きでパネル部２１の先端に取り付けられている。そして、ブランクパネル２０−２’は、上下反転した状態で、ブランクパネル２０−１の下に近接して、マウントフレーム２Ａに接続される。したがって、下部のブランクパネル２０−２’は、収納部１２−２がマウントフレーム２Ａの前面側に位置する。そして、パネル部２１−２を収容する際の巻き込み方向が、上方から見て反時計回りになる。
【００５５】
これに対し、上部のブランクパネル２０−１は、収納部１２−１がマウントフレーム２Ａの背面側に位置する。そして、パネル部２１−２を収容する際の巻き込み方向が、上方から見て時計回りになる。
【００５６】
このようにブランクパネル２０−１，２０−２’を設置することによって、それぞれのパネル部２１−１，２１−２の収納部１２−１，１２−２への巻き込み方向が上方から見ると逆になる。巻き込み方向が上方から見て逆になると、パネル部２１−１，２１−２を収納部１２−１，１２−２の内部に押し入れて巻き込む際の力が前後方向に分散されるため、押し込む力によってパネル部２１−１，２１−２が塑性変形を起こして折れ曲がることも少なくなると考えられる。また、この二段重ねのブランクパネル２０−１，２０−２’を１組のブランクパネルユニットとして、サーバラック全体に複数設置してもよい。
【００５７】
［ブランクパネルの設置例３］
もちろん、ブランクパネル２０を上下に設置する設置方法は、図１３の設置例に限らない。図１４は、実施の形態２に係るブランクパネル２０の他の設置例を示す斜視図である。図１５は、図１４に示すブランクパネル２０−１，２０−２”の平面図である。図１６は、図１４に示すブランクパネル２０−１，２０−２”の正面図である。図１７は、図１４に示すブランクパネル２０−１，２０−２”の左側面図である。
【００５８】
図１４〜図１７に示すように、この配置例では、ブランクパネル２０−１の下に、ブランクパネル２０−２”を近接してマウントフレーム２Ａに接続する。ここで、ブランクパネル２０−２”では、収納部１２−２”の突出部１４−２”が、ブランクパネル２０−１の突出部１４−１よりも、収納部１２−１の直径分長い長さに設定されている。したがって、ブランクパネル２０−２”がブランクパネル２０−１の下に近接してマウントフレーム２Ａに接続された場合には、収納部１２−２”が、収納部１２−１の外側に配置される。
【００５９】
そして、この場合、図１４〜図１７に示すように、冷気の漏れを防ぐため、パネル部２１−１，２１−２が上下にオーバラップするようにブランクパネル２０−１，２０−２”を上下二段に重ねて配置する。この際、収納部１２−１，１２−２”が相互に干渉しないように、上部の収納部１２−１と下部の収納部１２−２”を前後にずらし、下部の収納部１２−２”を、上部の収納部１２−１の外側（図中左側）に逃がすように配置する。
【００６０】
そして、パネル部２１−１，２１−２の先端に取り付ける補強材２３−１”，２３−２”は、上下の長さをパネル部２１−１，２１−２の幅よりも少し短くして取り付け、パネル部２１−１，２１−２の延伸の際におけるパネル部２１−１，２１−２の相互の干渉を低減する。
【００６１】
また、この二段重ねのブランクパネル２０−１，２０−２”を１組のブランクパネルユニットとして、さらに上下に重ねた場合でも、ブランクパネル間の干渉がないため、このブランクパネルユニットをサーバラック全体に複数設置してもよい。
【００６２】
また、実施の形態１，２に係るブランクパネル１０，２０として、ほぼ同様の幅を有するパネル部１１，２１を図示したが、各ブランクパネルの幅は、閉鎖対象の開口部６Ａの高さ等に対応させて、適宜変更が可能である。また、前述したように、一つの開口部６Ａに対して、一つのブランクパネル１０，２０を設けるほか、複数のブランクパネル１０，２０を設けてもよい。
【００６３】
以上、本発明者によってなされた発明を適用した実施の形態について説明したが、本実施の形態による本発明の開示の一部をなす記述及び図面により本発明は限定されることはない。すなわち、本実施の形態に基づいて当業者等によりなされる他の実施の形態、実施例及び運用技術等は全て本発明の範疇に含まれる。
【符号の説明】
【００６４】
１  サーバラック
１Ａ  上板
１Ｂ  ラックフレーム
２Ａ〜２Ｃ  マウントフレーム
３  ラックマウント機器
４Ａ，４Ｂ  棚
５  中間ポスト
６  収納ユニット（収納部）
６Ａ  開口部
７，７Ａ，７Ｂ  穴
８  ガイド
１０，１０−１，１０−２，１０Ａ，２０，２０−１，２０−２，２０−２’，２０−２”  ブランクパネル
１１，１１−１，１１−２，２１，２１−１，２１−２  パネル部
１１ａ，２１ａ  後端部
１１ｂ，２１ｂ  先端部
１１ｃ  引っ掛け部
１２，１２−１，１２−２，１２−２”  収納部
１３  バネ
１３Ａ  コイルバネ
１４  突出部
１５  送り出し口
１６  接続部
１７  ネジ
２３，２３−２’  補強材
【図１】
2018186181.tif 000003
【図２】
2018186181.tif 000004
【図３】
2018186181.tif 000005
【図４】
2018186181.tif 000006
【図５】
2018186181.tif 000007
【図６】
2018186181.tif 000008
【図７】
2018186181.tif 000009
【図８】
2018186181.tif 000010
【図９】
2018186181.tif 000011
【図１０】
2018186181.tif 000012
【図１１】
2018186181.tif 000013
【図１２】
2018186181.tif 000014
【図１３】
2018186181.tif 000015
【図１４】
2018186181.tif 000016
【図１５】
2018186181.tif 000017
【図１６】
2018186181.tif 000018
【図１７】
2018186181.tif 000019